(57)【要約】通気性・防水性底革（１１）とこの底革（１１）に上方領域において結合された集成体（１２）とを備え、かつ、  −  外側の通気性甲革（１３）、内側の裏地（１４）、およびこれらの間の通気性・防水性膜（１５）、  −  少なくとも甲革（１３）および通気性・防水性膜（１５）へ接合された、少なくとも部分的に穴が開けられているかあるいは通気性のある中底（１６）、によって構成された、通気性・防水性の底革および甲革を備えた靴。  このように構成された靴は、前記甲革（１３）と通気性・防水性膜（１５）との間における結合領域（１７）において集成体（１２）へ密封状にかつ外周状に接合されている底革（１１）を有している、という特質を備えている。【選択図】図２
2007518502.tif 000002
【特許請求の範囲】
【請求項１】
通気性・防水性底革（１１，１１１）とこの底革（１１，１１１）に上方領域において結合された集成体（１２，１１２）とを備え、かつ、
−  外側の通気性甲革（１３，１１３）、内側の裏地（１４，１１４）、およびこれらの間の通気性・防水性膜（１５，１１５）、
−  少なくとも前記甲革（１３，１１３）および前記通気性・防水性膜（１５，１１５）へ接合された、少なくとも部分的に穴が開けられているかあるいは通気性のある中底（１６，１１６）
によって構成され、
前記通気性・防水性底革（１１，１１１）は、前記集成体（１２，１１２）の上に少なくとも部分的にオーバーモールドされており、前記甲革（１３，１１３）には、前記底革（１１，１１１）のオーバーモールドの間におけるポリマー材料のために前記通気性・防水性膜（１５，１１５）へ向かう通路（２６，１２６）が設けられ、前記通路（２６，１２６）は、実質的に前記甲革（１３，１１３）と前記通気性・防水性膜（１５，１１５）との間における結合領域（１７，１１７）に配置され、前記底革（１１，１１１）は、前記結合領域（１７，１１７）において前記集成体（１２，１１２）へ密封状にかつ外周状に接合されていることを特徴とする、通気性・防水性の底革および甲革を備えた靴（１０，１１０）。
【請求項２】
前記底革（１１，１１１）は、少なくとも１つの穴開き下側層（１８，１１８）と少なくとも１つの上側層（１９，１１９）とからなり、上側層（１９，１１９）は、外側の周辺スカート部（２０，１２０）から構成され、かつ、中央が通気性要素（２１，１２１）によって構成され、通気性要素（２１，１２１）は、透湿性が付与された前記中底（１６，１１６）の部分に実質的に配置され、通気性・防水性膜要素（２２，１２２）が、前記下側層（１８，１１８）と前記上側層（１９，１１９）との間に配置され、かつ、その周辺領域（２４）において、前記底革（１１，１１１）の集成体に密封状に接合され、前記スカート部（２０，１２０）は、前記甲革（１３，１１３）と前記通気性・防水性膜（１５，１１５）との間における前記結合領域（１７，１１７）に完全に重なっており、前記通気性・防水性膜（１５，１１５）への前記スカート部（２０，１２０）の接着によって、前記集成体（１２，１１２）と前記底革（１１，１１１）との間に封止部が形成されている請求項１に記載の靴（１０）。
【請求項３】
前記中底（１６）は、ストローベル型の縫い目（１７ａ）により、前記結合領域（１７）において少なくとも前記甲革（１３）および前記膜（１５）へ接合されており、前記通路（２６）は、前記甲革（１３）の下方縁部（２８）に「深いうねり部」（２７）を形成することで設けられ、それによって、前記縫い目（１７ａ）が、前記「深いうねり部」（２７）の頂点（２８ａ）だけを前記膜（１５）および前記中底（１６）へ接合していることを特徴とする請求項１または２に記載の靴（１０）。
【請求項４】
前記中底（１１６）は、前記中底（１１６）の下方で折り曲げられた、少なくとも通気性・防水性膜（１１５）および前記甲革（１１３）の下方縁部（１２８）を接着剤で接着することで、前記結合領域（１１７）において少なくとも前記甲革（１１３）および前記膜（１１５）へ接合されており、前記通路（１２６）は、前記中底（１１６）の下方で折り曲げられた前記甲革の一部（１１３ａ）に設けられた貫通穴（１２７）によって構成されていることを特徴とする請求項１または２に記載の靴（１００）。
【請求項５】
前記下方縁部（１２８）は、前記底革（１１１）の通気性要素（１２１）に隣接して位置しており、前記下方縁部（１２８）は、実際には、前記穴開き中底（１１６）と前記スカート部（１２０）との間にサンドイッチ状に固定されていることを特徴とする請求項４に記載の靴（１００）。
【請求項６】
前記通気性・防水性膜要素（２２，１２２）の周辺領域（２４）が前記スカート部（２０，１２０）と前記下方縁部（１８，１１８）との間にサンドイッチ状に組み入れられていることを特徴とする請求項１〜５の１つに記載の靴（１０，１００）。
【請求項７】
通気性・防水性底革（２１１）とこの底革（２１１）に上方領域において結合された集成体（２１２）とを備え、かつ、
−  外側の通気性甲革（２１３）、内側の裏地（２１４）、およびこれらの間の通気性・防水性膜（２１５）、
−  少なくとも前記通気性・防水性膜（２１５）へ接合された、少なくとも部分的に穴が開けられているかあるいは通気性のある中底（２１６）
によって構成され、
透湿性が付与された前記底革（２１１）の領域で少なくとも部分的に穴が開けられているかあるいは通気性のある防水性中靴（２２７）を備え、この中靴（２２７）は、下方領域において前記中底（２１６）に結合され、その周縁部（２３０）が、周辺封止部をもたらすように、前記中底（２１６）と前記通気性・防水性膜（２１５）との間の結合領域（２１７）に完全に重なり、前記甲革（２１３）は、前記中靴（２２７）に接着しており、前記通気性・防水性底革（２１１）は、透湿性が付与された領域に対応する残りの中央部に影響を及ぼすことなく、前記甲革（２１３）と、もしあれば前記中靴（２２７）の露出部とにおいてだけ、前記集成体（２１２）へ密封状にかつ外周状に接合されていることを特徴とする、通気性・防水性の底革および甲革が設けられた靴（２００）。
【請求項８】
前記中底（２１６）は、前記結合領域（２１７）において、ストローベル型の縫い目（２１７ａ）によって、少なくとも前記通気性・防水性膜（２１５）へ結合され、前記周縁部（２３０）は、前記中靴（２２７）の側面部（２３０ａ）を形成し、この側面部（２３０ａ）は、前記縫い目（２１７ａ）を越えて立ち上がり、前記通気性・防水性膜（２１５）に完全に接着して前記周辺封止部を形成し、前記甲革（２１３）は、前記中靴（２２７）へ接着しているとともに、前記中靴（２２７）の下方に接着するように、折り曲げられて接着剤で接着された下方縁部（２２８）を有していることを特徴とする請求項７に記載の靴（２００）。
【請求項９】
前記中靴（２２７）は、前記集成体（２１２）の上に、とりわけ前記通気性・防水性膜（２１５）の上に、直接オーバーモールドすることによって設けられていることを特徴とする請求項８に記載の靴（２００）。
【請求項１０】
前記中靴（２２７）は、別に設けられて、接着剤による接着によって前記集成体（２１２）へ密封状に連結されていることを特徴とする請求項９に記載の靴（２００）。
【請求項１１】
−  少なくとも１つの穴が開けられた下側底革層（３１８）を射出成形する工程、
−  成形型の内側で、前記少なくとも１つの穴が開けられた下側底革層（３１８）の上に通気性・防水性膜要素（３２２）を配置する工程、
−  前記通気性・防水性膜要素（３２２）の上面に少なくとも１つの通気性要素（３２１）を配置する工程、
−  前記通気性・防水性膜要素（３２２）の向かい側に位置する前記少なくとも１つの通気性要素（３２１）の面（３２１ａ）を接着性フィルム（３２１ｂ）で被覆する工程、
−  前記少なくとも１つの穴が開けられた下側底革層（３１８）の上に、かつ、前記少なくとも１つの通気性要素（３２１）の側面に、周辺スカート部（３２０）をオーバーモールドする工程、
−  前記接着性フィルム（３２１ｂ）を除去する工程
から構成されている通気性・防水性底革の製造方法。
【請求項１２】
雌成形型部品（３４１）と上側閉鎖用成形型部品（３４２）とによって構成された成形型（３４０）の中で溶融したポリマー材料を射出する工程から構成されており、前記雌成形型部品（３４１）には、前記成形型（３４０）が開かれる方向に突出しているとともに、透湿性の付与された底革の前記部分の領域に配置されているピン形状のインサート（３４３）が設けられ、前記ピン形状インサート（３４３）の頂部面（３４４）と前記上側閉鎖用成形型部品（３４２）との間に、板状の封止手段（３４５）が干渉状態に介在されている、通気性・防水性底革の穴開き部分を設ける方法。
【請求項１３】
前記板状封止手段（３４５）は、ポリマー材料から作られてそれぞれのピン形状インサート（３４３）に配置される板（３４６）によって構成され、この板（３４６）は、対応する前記ピン形状インサート（３４３）よりも幅が広いことを特徴とする請求項１２に記載の方法。
【発明の詳細な説明】
【技術分野】
【０００１】
この発明は、通気性・防水性の底革および甲革を備えた靴に関するものである。
【背景技術】
【０００２】
靴の快適性は、その適正な構造的適合性だけでなく、発汗のために靴の内側に生じた水蒸気の適正な外方透過性にも左右される、ということが今日ではよく知られている。しかしながら、水蒸気のこの透過性は、靴の防水性を損なうものであってはならない。
【０００３】
伝統的に、通気性のある靴は、なめし革あるいは同等製品のような天然材料を使用する靴であるが、しかしながら、雨天あるいは悪天候においては、実際にはそれらの透過特性のために、良好な防水性が保証されず、また、実際にはどちらかというとすぐに水を吸収する。
【０００４】
このような理由のために、透湿性・防水性の膜が設けられた裏地に接合されたなめし革（など）から作られ（例えばゴアテックス（Ｇｏｒｅ−Ｔｅｘ（登録商標））などのような材料から作られ）、中底へ縫い付けられるかあるいは接着剤により接着された甲革が備わっている靴は、ここ数年、使用されていなかった。
【０００５】
これらの靴の製造において、外側からの水のほんのわずかな浸透さえも防止するためには、中底および裏地がその膜および底革に接する領域の封止に注意を払うことが重要である。
【０００６】
足の汗の大部分は、足の裏と典型的にはポリマー材料から作られている靴の底革との界面で発生するが、この界面において生じた汗は蒸発することができず、そのために足が置かれる足底インサートの上に凝縮する、ということは明らかである。ほんのわずかな割合の汗だけが甲革を通って蒸発する。
【０００７】
従って、通気性・防水性底革の備わった靴がここ数年、研究されてきた。
【０００８】
これらの底革の１つは、米国特許第５，０４４，０９６号およびヨーロッパ特許第０３８２９０４号に開示されており、プラスチック材料から作られた底革を貫通穴の備わった２つの層に分割することと、不透水性・通気性であって（例えばゴアテックス（Ｇｏｒｅ−Ｔｅｘ（登録商標））などのような材料から作られ）、これら２つの層に外周状かつ密封状に接合される膜を、どのような水の染み込みも妨げるように介在させることとからなっている。
【０００９】
この底革によれば、靴の内側雰囲気と外側雰囲気との間の熱および水蒸気の効率的な交換とともに適正な透湿性が保証され、同時に、外側の湿度および水に関する必要な防水性が保証される。
【００１０】
完全防水性の靴を提供するために、防水性・通気性底革を説明されたような防水性・通気性甲革へ接合することができる。中底および裏地が膜へ結合される領域を防水加工する工程もまた、この型の靴の製造において重要である。
【発明の開示】
【発明が解決しようとする課題】
【００１１】
この発明の目標は、通気性があるとともに完全な防水性が保証される底革および甲革を備えた靴を提供することにある。
【００１２】
この目標の範囲内で、この発明の１つの目的は、構造的に簡単に手に入る通気性・防水性の底革および甲革を備えた靴を提供することにある。
【００１３】
この発明の別の目的は、ポリマー材料の直接射出の手段を使用して製造することのできる通気性・防水性の底革および甲革を備えた靴を提供することにある。
【００１４】
この発明の別の目的は、丈夫でありかつ耐久性のある通気性・防水性の底革および甲革を備えた靴を提供することにある。
【００１５】
この発明の別の目的は、従来のシステムおよび技術で製造することのできる通気性・防水性の底革および甲革を備えた靴を提供することにある。
【課題を解決するための手段】
【００１６】
この目標、これらの目的、および後にいっそう明らかになる他の目的は、
通気性・防水性底革とこの底革に上方領域において結合された集成体とを備え、かつ、
−  外側の通気性甲革、内側の裏地、およびこれらの間の通気性・防水性膜、
−  少なくとも前記甲革および前記膜へ接合された、少なくとも部分的に穴が開けられているかあるいは通気性のある中底
によって構成され、
前記通気性・防水性底革は、前記集成体の上に少なくとも部分的にオーバーモールドされており、前記甲革には、前記底革のオーバーモールドの間におけるポリマー材料のために前記膜へ向かう通路が設けられ、前記通路は、実質的に前記甲革と前記膜との間における結合領域に配置され、前記底革は、前記結合領域において前記集成体へ密封状にかつ外周状に接合されていることを特徴とする
通気性・防水性の底革および甲革を備えた靴によって達成される。
【００１７】
この発明は、通気性・防水性底革とこの底革に関して上方領域において結合された集成体とを備え、かつ、
−  外側の通気性甲革、内側の裏地、およびこれらの間の通気性・防水性膜、
−  少なくとも前記膜へ接合された、少なくとも部分的に穴が開けられているかあるいは通気性のある中底
によって構成され、
透湿性が付与された前記底革の領域で少なくとも部分的に穴が開けられているかあるいは通気性のある防水性中靴を備え、この中靴は、下方領域において前記中底に結合され、かつ、周辺封止部をもたらすように、前記中底と前記通気性・防水性膜との間の結合領域に完全に重なる周縁部を有し、前記甲革は、前記中靴に接着しており、前記通気性・防水性底革は、透湿性が付与された領域に対応する残りの中央部に影響を及ぼすことなく、前記甲革と、もしあれば前記中靴の露出部とにおいてだけ、前記集成体へ密封状に接合されていることを特徴とする、通気性・防水性の底革および甲革を備えた靴を構成するのが有利である。
【００１８】
この発明は、
−  少なくとも１つの穴が開けられた下側底革層を射出成形する工程、
−  成形型の内側で、前記少なくとも１つの穴が開けられた下側層の上に通気性・防水性膜要素を配置する工程、
−  前記通気性・防水性膜要素の上面に少なくとも１つの通気性要素を配置する工程、
−  前記通気性・防水性膜要素の向かい側に位置する前記少なくとも１つの通気性要素の面を接着性フィルムで被覆する工程、
−  前記少なくとも１つの穴が開けられた下側層の上に、かつ、前記少なくとも１つの通気性要素の側面に、周辺スカート部をオーバーモールドする工程、
−  前記接着性フィルムを除去する工程
から構成されている通気性・防水性底革の製造方法からなるのが好都合である。
【００１９】
この発明は、雌成形型部品と上側閉鎖用成形型部品とによって構成された成形型の中へ溶融したポリマー材料を射出する工程から構成されており、前記雌成形型部品には、前記成形型が開かれる方向に突出しているとともに、透湿性の付与された前記底革部分の領域に配置されているピン形状のインサートが設けられ、前記ピン形状インサートの頂部面と前記上側閉鎖用成形型部品との間に、板状の封止手段が干渉状態に介在されている、通気性・防水性底革の穴開き部分を製造する方法をさらに備えている。
【００２０】
この発明のさらに別の特徴および利点は、添付図面における非限定的な例によって図示された、好ましいが排他的ではないそのいくつかの実施形態の説明からいっそう明らかになる。
【発明を実施するための最良の形態】
【００２１】
図１および図２によれば、この発明に係る通気性・防水性靴の第１実施形態は、参照符号１０で全体が表されている。
【００２２】
靴１０は、以下に説明するような通気性・防水性底革１１と、これに上方領域で結合された集成体１２とを備えてなり、集成体１２は、外側の通気性甲革１３と、内側の裏地１４と、これらの間における、例えばゴアテックス（Ｇｏｒｅ−Ｔｅｘ（登録商標））などのような材料から作られた通気性・防水性膜１５とによって構成されている。
【００２３】
集成体１２は下方領域において中底１６によって閉鎖されており、中底１６は、この実施形態では穴が開けられているが、通気性材料から作ることができる。この中底１６は、共通の結合領域１７において、例えばそれ自体が知られているストローベル（ｓｔｒｏｂｅｌ）型の縫い目１７ａによって、前記甲革１３、前記裏地１４および前記膜１５へ結合されている。
【００２４】
この実施形態では、通気性・防水性底革１１は、以下に説明されるように、その一部をオーバーモールド加工することによって、集成体１２へ周辺状あるいは外周状にかつ密封状に接合されている。底革１１は、接地部を形成する穴開き下側層１８と上側層１９とから構成されている。
【００２５】
この上側層１９は、外側の周辺あるいは外辺のスカート部２０によって構成され、かつ、中央が通気性要素２１によって構成されている。この通気性要素２１は明らかに、透湿性が付与された中底１６の部分と接地部の穴開き区域とに実質的に配置されている。
【００２６】
例えばゴアテックス（Ｇｏｒｅ−Ｔｅｘ（登録商標））などから作られた通気性・防水性膜要素２２が、前記の下側層１８と上側層１９との間に配置されている。この通気性・防水性膜要素２２の層もまた、それ自体が知られている通気性の下側保護層２３からなっている。この通気性・防水性膜要素２２は、その周辺領域２４において、底革１１の集成体へ密封状に接合されている。
【００２７】
通気性・防水性膜要素２２は、下側層１８の上面に形成された平坦なポケット部２５の中に配置されている。とりわけ、通気性・防水性膜要素２２の周辺領域２４は、スカート部２０と下側層１８との間に挟まれている。
【００２８】
靴１０を製造するこの方法は例えば、成形型の中に直接射出することで下側層１８を製造し、次に成形型の中に膜要素２２を取り付け、その後に通気性要素２１を配置することによって提供される。
【００２９】
集成体１２は、靴型に合わされて成形型の中に挿入され、中底１６が通気性要素２１に接するように配置される。この時点で、外側の周辺スカート部２０に関連した底革１１の部分がオーバーモールドされる。
【００３０】
甲革１３には、スカート部２０に関連した底革部分１１のオーバーモールドの間におけるポリマー材料のための通路２６が通気性・防水性膜１５へ向けて設けられている。この通路２６は、実質的に甲革１３と裏地１４と膜１５との間における結合領域１７に配置されている。この結合領域１７においては、底革１１は集成体１２へ密封状に接合されている。
【００３１】
甲革１３の前記通路２６によって、外側の周辺スカート部２０をオーバーモールドする間に、実際に、ポリマー（例えばポリウレタン）の流体が膜１５の表面に到達することができ、それ自体がそこに接着してとどまるとともに、水密性封止部が形成される。
【００３２】
説明されたこの実施形態では、これらの通路は例えば、甲革１３の下方縁部２８に「深いうねり部」２７を形成することによって設けられ、それによって、縫い目１７ａが、前記「深いうねり部」２７の頂点２８ａだけで膜１５および中底１６へ接合されている。
【００３３】
このようにして、溶融したポリマーは、前記の「深いうねり部」２７を通って浸透し、縫い目１７ａを完全に包囲し、縫い目１７ａの穴の中へ浸透し、そして膜１５に接合される。スカート部２０が縫い目１７ａに完全に重なるということを強調したい。
【００３４】
靴のこの第１実施形態の変形例は、図３に示されており、ここでは参照符号１００で全体が表わされている。この変形例は、ここで参照符号１１７によって表わされて甲革１１３、裏地１１４および通気性・防水性膜１１５を穴開き中底１１６へ結合するための領域においてだけ、先に説明された実施形態と異なっている。
【００３５】
この場合において、参照符号１２８によって全体が表わされた、裏地１１４、膜１１５および甲革１１３の下方縁部は、折り曲げられて穴開き中底１１６の下側に接着剤により接着され、底革１１１の通気性要素１２１に隣接して位置している。前記下方縁部１２８は実際には、穴開き中底１１６とスカート部２０との間にサンドイッチ状に固定されている。
【００３６】
この変形例においてもまた、甲革１１３には、スカート部１２０に関連した底革部分１１１のオーバーモールドの間におけるポリマー材料のための通路１２６が通気性・防水性膜１１５へ向けて設けられている。
【００３７】
これらの通路１２６もまた、甲革１１３と裏地１１４と膜１１５との間における結合領域１１７に実質的に配置されている。この結合領域１１７においては、底革１１１は集成体１１２へ密封状に接合されている。前記通路１２６は、中底１１６の下方で折り曲げられた上方部分１１３ａに設けられた貫通穴１２７によって構成されている。
【００３８】
先に説明されたものと同様に、甲革１１３の前記通路１２６によって、外側の周辺スカート部１２０をオーバーモールドする間に、ポリマー（例えばポリウレタン）の流体が膜１１５の表面に到達することができ、そこに接着してとどまるとともに、水密性封止区域が形成される。
【００３９】
図４には、この発明に係る靴の第２実施形態が、参照符号２００で全体が表されて図示されている。
【００４０】
この靴２００は、先に説明されたものと実質的に類似している通気性・防水性底革２１１と、この底革２１１に上方領域で結合された集成体２１２とを備えてなり、集成体２１２は、外側の通気性甲革２１３と、内側の裏地２１４と、これらの間における、例えばゴアテックス（Ｇｏｒｅ−Ｔｅｘ（登録商標））などのような材料から作られた通気性・防水性膜２１５とによって構成されている。
【００４１】
この集成体２１２は下方領域において中底２１６によって閉鎖されており、中底２１６は、この実施形態では穴が開けられているが、通気性材料から作ることができる。この中底２１６は、共通の結合領域２１７において、例えばそれ自体が知られているストローベル（ｓｔｒｏｂｅｌ）型の縫い目２１７ａによって、前記裏地２１４および前記膜２１５へ結合されている。
【００４２】
この靴２００には防水性中靴２２７がさらに備わっており、中靴２２７は下方領域で中底２１６に結合されており、かつ、中底２１６と底革２１１との間に介在されている。
【００４３】
実際には、前記防水性中靴２２７は基部中底２２９によって構成されており、封止区域２２７ａによって形成された周辺封止部をもたらすように、周縁部２３０が、中底２１６と通気性・防水性膜２１５との間の結合領域２１７に完全に重なっている。さらに詳しく言えば、前記周縁部２３０によって中靴２２７の側壁２３０ａが形成されており、この側壁２３０ａは、縫い目２１７ａを越えて立ち上がり、膜２１５に完全に接着して前記周辺封止部をもたらしている。
【００４４】
前記甲革２１３は前記中靴２２７へ接着し、その下方縁部２２８は、折り曲げられて、中靴２２７の下方に接して接着剤で接着されている。
【００４５】
前記中靴２２７は、集成体の上に（とりわけ膜２１５の上に）直接オーバーモールドすることによって設けることができ、その場合は、先の事例において説明されたように、流動性ポリマーが縫い目２１７ａを包囲するが、また、前記中靴２２７は予備成形あるいは接着剤により接着することができ、いずれの場合も縫い目２１７ａの領域を封止することに注意が払われる。
【００４６】
前記中靴２２７には、透湿性が付与された底革２１１の領域に、適切な穴２３１（あるいは、等価の方式で、通気性のある部分）が設けられている。中靴２２７には、極端な場合には、単一の「巨大穴」が開けられていてもよい、ということは明らかである。
【００４７】
この種の構造によれば、底革２１１を別に設けることと、その後にそれを例えば接着剤による接着によって中靴２２７の備わった集成体２１２へ取り付けることとが可能になる。
【００４８】
代案として、先の実例で説明されたように、底革２１１の部分を集成体２１２の上へのオーバーモールドによって設けることで、靴２００を設けることができる。この実施形態では、底革２１１は、先に説明された靴の実例と実質的に同じ構造を有している。
【００４９】
この方法は例えば次のようなものである。下側層２１８が成形型の中での直接射出によって設けられる。次いで、成形型の中で膜要素２２２が取り付けられ、また、通気性要素２２１が位置決めされる。成形型の中に挿入された靴型の上に集成体２１２が合わされ、中靴２２７が通気性要素２２１に接して配置される。この時点で、外側周辺スカート部２２０に関連した底革２１１の部分がオーバーモールドされる。
【００５０】
いかなる場合でも、底革２１１は、甲革２１３と中靴２２７の露出部（すなわち、甲革２１３の折り曲げ部によって覆われることがなく、また、場合によっては存在しない部分）とでだけ、かつ、透湿性が付与された領域に対応する残りの中央部に影響を及ぼすことなく、集成体２１２に密封状に結合されている。
【００５１】
説明されたような底革２１１を製造するためには、集成体２１２の下側に例えば接着剤での接着によって取り付けられることが明らかであり、成形段階の間に溶融したポリマーが透湿性の付与された部分を被覆するのを回避するためには、改良を実行することが必要である。
【００５２】
例えば、図５および図６によれば、通気性・防水性底革の製造方法は次のようなものである。
【００５３】
例えば底革の接地部に対応する穴開きの下側底革層３１８が、雌成形型部品３４１と上側閉鎖用成形型部品３４２とによって形成された成形型３４０の中で射出成形される。例えばその雌成形型部品３４１を保持することで、穴開き下側層３１８の上に載るように通気性・防水性膜要素３２２が配置される。
【００５４】
次いで、前記通気性・防水性膜要素３２２の上方に通気性要素３２１が配置される。この通気性要素３２１には、前記通気性・防水性膜要素３２２の向かい側に位置する面３２１ａの上に接着性フィルム３２１ｂが備わっている。
【００５５】
この時点で、雌成形型部品３４１は上側雌成形型部品３４２ａで閉じられ、次に、周辺スカート部３２０を設けるために溶融ポリマーがオーバーモールドされる。この周辺スカート部３２０は通気性要素３２１を側面に沿って包囲している。
【００５６】
成形型３４０は開かれて、接着性フィルム３２１ｂが除去される。この接着性フィルム３２１ｂによれば、溶融ポリマーが、通気性要素３２１の上方へ浸透してそれを被覆し、そのためにその通気性を制限することを防止することができる。
【００５７】
同様に、溶融ポリマーが、底革３１１の下側層３１８を射出する間に透湿穴の上方に浸透するのを防止するために、成形処理によって特別な改良点が設けられる。
【００５８】
雌成形型部品３４１にはピン形状のインサート３４３が設けられるが、これは成形型３４０が開かれる方向に突出しているとともに、透湿性の付与された底革の領域に配置されている。ピン形状インサート３４３の頂部面３４４と上側閉鎖用成形型部品３４２との間には、板状の封止手段３４５が干渉状態に介在されている。
【００５９】
この板状封止手段３４５は、剛性ポリマー材料から作られてそれぞれのピン形状インサート３４３に配置される板３４６によって構成されている。具体的に言えば、この板３４６は、対応するピン形状インサート３４３よりも幅がわずかに広い。ピン形状インサート３４３の頂部面３４４に押し付けられているこの板３４６によれば、射出の間に、溶融ポリマーが、頂部面３４４の上方に浸透して、底革３１１が取り出されたときに形成される透湿穴を塞ぐことが防止される。
【００６０】
以上のように説明されたこの発明が意図された目標および諸目的を解決することは実際に観察された。
【００６１】
具体的に言えば、この発明によれば、通気性・防水性底革と同様の通気性・防水性「甲革集成体」との間における水の染み込みのおそれがある領域がすべて事実上完全に封止されているので、完全な防水性が保証される通気性・防水性の底革および甲革を備えた靴が提供される。
【００６２】
さらにまた、この発明によれば、構造的に簡単に手に入る通気性・防水性の底革および甲革を備えた靴が提供される。
【００６３】
さらにまた、通気性・防水性の底革および甲革を備えたこの靴は、ポリマー材料の直接射出の技術を使用して製造することができる。この点に関して、この発明は、射出成形処理における改良の結果、透湿性の意図された領域における溶融ポリマー材料の浸透に関連した諸問題を都合よく解決しており、それによって、高水準の通気性が保証される。
【００６４】
このように構想されたこの発明は、多数の修正および変形が可能であり、それらはすべて、特許請求の範囲の範囲内にあり、さらにまた、それらの細部はすべて、技術的に同等の他の要素で置き換えることができる。実際に、使用される材料は、それらが特定の使用に適合する限り、その寸法とともに、当業界の要件および状態に従う任意のものであってよい。
【００６５】
この出願が優先権を主張するイタリア特許出願番号ＰＤ２００４Ａ００００１４号における開示は、引用によってこの明細書に組み入れられる。
【００６６】
特許請求の範囲において言及された技術的特徴が参照符号に従う場合には、それらの参照符号は、特許請求の範囲の明瞭度を増大するという唯一の目的のために含まれており、従って、そのような参照符号は、そのような参照符号によって実例として認識されたそれぞれの要素の解釈にどのような限定的効果も有していない。
【図面の簡単な説明】
【００６７】
【図１】図１は、この発明に係る靴の一部の第１実施形態における横断面図である。
【図２】図２は、図１の靴の一部についての斜視図である。
【図３】図３は、この発明に係る靴の一部の前記第１実施形態の変形例における横断面図である。
【図４】図４は、この発明に係る靴の一部の第２実施形態における横断面図である。
【図５】図５は、図４に係る靴に使用される底革を設けるための第１成形型の概略横断面図である。
【図６】図６は、図４に係る靴に使用される底革を設けるための第２成形型の概略横断面図である。
【図１】
2007518502.tif 000003
【図２】
2007518502.tif 000004
【図３】
2007518502.tif 000005
【図４】
2007518502.tif 000006
【図５】
2007518502.tif 000007
【図６】
2007518502.tif 000008
【国際調査報告】
2007518502.tif 000009
2007518502.tif 000010
2007518502.tif 000011
2007518502.tif 000012
2007518502.tif 000013
2007518502.tif 000014
2007518502.tif 000015